(57)【要約】【課題】撮像素子内における点滅欠陥画素を確実に検出することができる撮像装置、検出方法およびプログラムを提供する。【解決手段】撮像装置１は、撮像素子６の複数の画素からそれぞれ出力される電気信号の強度に基づいて、画像が異常であるか否かを判定する異常画素判定部１５と、強度分布情報記録部２３２が記録する強度分布情報を参照して、異常画素判定部１５によって異常と判定された回数が所定回数以上の画素を、不定期に電気信号の強度が変化する点滅欠陥画素として検出する点滅画素検出部１６と、を備える。【選択図】図２
2014216775.tif 000002
【特許請求の範囲】
【請求項１】
所定の被写体を結像された光を受光して光電変換を行うことによって電気信号を出力する複数の画素が２次元状に配列された撮像素子と、
前記撮像素子の受光面を遮光した遮光期間に、前記複数の画素からそれぞれ出力される前記電気信号に基づいて、前記画素毎の強度分布情報を、各撮像時に蓄積して記録する強度分布情報記録部と、
前記複数の画素からそれぞれ出力される前記電気信号の強度に基づいて、画素が異常であるか否かを判定する異常画素判定部と、
前記強度分布情報記録部が記録する前記強度分布情報を参照して、前記異常画素判定部によって異常と判定された回数が所定回数以上となる画素を不定期に前記電気信号の強度が変化する点滅欠陥画素として検出する点滅画素検出部と、
を備えたことを特徴とする撮像装置。
【請求項２】
前記点滅画素検出部が検出した前記点滅欠陥画素に対応した前記撮像素子内における位置情報を記録する点滅画素情報記録部と、
前記点滅画素情報記録部が記録した前記位置情報に基づいて、前記点滅欠陥画素が出力する前記電気信号を、他の画素が出力する前記電気信号を用いて補正する画素補正部と、
を備えたことを特徴とする請求項１に記載の撮像装置。
【請求項３】
前記複数の画素からそれぞれ出力される前記電気信号によって構成された画像を表示する表示部と、
前記表示部が表示する前記画像内の位置を指定する指示信号の入力を受け付ける入力部と、
を備え、
前記異常画素判定部は、前記指示信号に応じた位置を少なくとも一部に含む領域に対応する前記撮像素子の各画素から出力される前記電気信号の強度が異常であるか否かを判定することを特徴とする請求項１または２に記載の撮像装置。
【請求項４】
当該撮像装置の撮影条件を設定するメニュー画面を前記表示部に表示させる表示制御部をさらに備え、
前記遮光期間は、前記表示制御部が前記表示部に前記メニュー画面を表示させている期間であることを特徴とする請求項３に記載の撮像装置。
【請求項５】
前記遮光期間は、当該撮像装置が静止画撮影を行った直後に、前記表示部が静止画画像を所定時間だけ表示している期間であることを特徴とする請求項３に記載の撮像装置。
【請求項６】
前記遮光期間は、当該撮像装置の電源が投入されて初期動作を行っている期間、または当該撮像装置の停止を行う際の終了動作を行っている期間であることを特徴とする請求項１〜３のいずれか一つに記載の撮像装置。
【請求項７】
前記撮像素子の受光面を覆う幕を開閉することによって、露光および遮光を調整するシャッタと、
前記シャッタを駆動するシャッタ駆動部と、
前記遮光期間に前記シャッタ駆動部を駆動することにより、前記撮像素子の受光面を遮光状態に切り換える撮像制御部と、
をさらに備えたことを特徴とする請求項１〜６のいずれか一つに記載の撮像装置。
【請求項８】
所定の被写体から結像された光を受光して光電変換を行うことによって、電気信号を出力する複数の画素が２次元状に配列された撮像素子を備えた撮像装置が実行する検出方法であって、
前記複数の画素からそれぞれ出力される前記電気信号の強度に基づいて、画素が異常であるか否かを判定する異常画素判定ステップと、
前記撮像素子の受光面を遮光した遮光期間に、前記複数の画素からそれぞれ出力される前記電気信号に基づいて、前記画素毎の強度分布情報を、各撮像時に蓄積して記録する強度分布情報記録部の該強度分布情報を参照して、前記異常画素判定ステップによって異常と判定された回数が所定回数以上の画素を不定期に前記電気信号の強度が変化する点滅欠陥画素として検出する点滅画素検出ステップと、
を含むことを特徴とする検出方法。
【請求項９】
所定の被写体から結像された光を受光して光電変換を行うことによって電気信号を出力する、複数の画素が２次元状に配列された撮像素子を備えた撮像装置に、実行させるプログラムであって、
前記複数の画素からそれぞれ出力される前記電気信号の強度に基づいて、画素が異常であるか否かを判定する異常画素判定ステップと、
前記撮像素子の受光面を遮光した遮光期間に、前記複数の画素からそれぞれ出力される前記電気信号に基づいて、前記画素毎の強度分布情報を、各撮像時に蓄積して記録する強度分布情報記録部の該強度分布情報を参照して、前記異常画素判定ステップによって異常と判定された回数が所定回数以上の画素を不定期に前記電気信号の強度が変化する点滅欠陥画素として検出する点滅画素検出ステップと、
を実行させることを特徴とするプログラム。
【発明の詳細な説明】
【技術分野】
【０００１】
本発明は、被写体を撮像して該被写体の画像データを生成する撮像素子を備えた撮像装置、撮像素子の点滅欠陥画素を検出する検出方法およびプログラムに関する。
【背景技術】
【０００２】
従来、デジタルカメラ等の撮像装置に備えられたＣＣＤ（Charge  Coupled  Device）やＣＭＯＳ（Complementary  Metal  Oxide  Semiconductor）等の固体撮像素子は、光を受光して光電変換を行って電気信号を出力する複数の画素から構成されている。このような撮像素子において、光の受光量と相関がない、異常な電気信号を出力する欠陥画素が存在することが知られている。この欠陥画像の種類には、受光面へのゴミの付着や、素子の結晶欠陥等により、常に異常な電気信号を出力する定常的な欠陥画素と、異常な電気信号を不定期に出力する点滅欠陥画素がある。
【０００３】
点滅欠陥画素は、長時間露光による撮影時に、不定期な画像ノイズとして撮像画像に現れる。このノイズは、特に、撮像装置が夜景等を被写体として撮像しながらライブビュー画像を表示する際に、ライブビュー画像の暗い部分、たとえば夜空の部分に白い点となって現れる。このノイズを除去するための技術として、撮像素子を遮光した状態で、撮影条件に応じた回数だけ撮像し、この撮像した複数の画像から点滅欠陥画素を検出する技術が知られている（特許文献１参照）。
【先行技術文献】
【特許文献】
【０００４】
【特許文献１】特開２００７−１９９９０７号公報
【発明の概要】
【発明が解決しようとする課題】
【０００５】
しかしながら、点滅欠陥画素は、不定期に異常な電気信号を出力するため、上述した特許文献１であっても、点滅欠陥画素を検出することができない場合があった。このため、撮像素子内における点滅欠陥画素を確実に検出することができる技術が望まれていた。
【０００６】
本発明は、上記に鑑みてなされたものであって、撮像素子内における点滅欠陥画素を確実に検出することができる撮像装置、検出方法およびプログラムを提供することを目的とする。
【課題を解決するための手段】
【０００７】
上述した課題を解決し、目的を達成するために、本発明にかかる撮像装置は、所定の被写体を結像された光を受光して光電変換を行うことによって電気信号を出力する複数の画素が２次元状に配列された撮像素子と、前記撮像素子の受光面を遮光した遮光期間に、前記複数の画素からそれぞれ出力される前記電気信号に基づいて、前記画素毎の強度分布情報を、各撮像時に蓄積して記録する強度分布情報記録部と、前記複数の画素からそれぞれ出力される前記電気信号の強度に基づいて、画素が異常であるか否かを判定する異常画素判定部と、前記強度分布情報記録部が記録する前記強度分布情報を参照して、前記異常画素判定部によって異常と判定された回数が所定回数以上となる画素を不定期に前記電気信号の強度が変化する点滅欠陥画素として検出する点滅画素検出部と、を備えたことを特徴とする。
【０００８】
また、本発明にかかる撮像装置は、上記発明において、前記点滅画素検出部が検出した前記点滅欠陥画素に対応した前記撮像素子内における位置情報を記録する点滅画素情報記録部と、前記点滅画素情報記録部が記録した前記位置情報に基づいて、前記点滅欠陥画素が出力する前記電気信号を、他の画素が出力する前記電気信号を用いて補正する画素補正部と、を備えたことを特徴とする。
【０００９】
また、本発明にかかる撮像装置は、上記発明において、前記複数の画素からそれぞれ出力される前記電気信号によって構成された画像を表示する表示部と、前記表示部が表示する前記画像内の位置を指定する指示信号の入力を受け付ける入力部と、を備え、前記異常画素判定部は、前記指示信号に応じた位置を少なくとも一部に含む領域に対応する前記撮像素子の各画素から出力される前記電気信号の強度が異常であるか否かを判定することを特徴とする。
【００１０】
また、本発明にかかる撮像装置は、上記発明において、当該撮像装置の撮影条件を設定するメニュー画面を前記表示部に表示させる表示制御部をさらに備え、前記遮光期間は、前記表示制御部が前記表示部に前記メニュー画面を表示させている期間であることを特徴とする。
【００１１】
また、本発明にかかる撮像装置は、上記発明において、前記遮光期間は、当該撮像装置が静止画撮影を行った直後に、前記表示部が静止画画像を所定時間だけ表示している期間であることを特徴とする。
【００１２】
また、本発明にかかる撮像装置は、上記発明において、前記遮光期間は、当該撮像装置の電源が投入されて初期動作を行っている期間、または当該撮像装置の停止を行う際の終了動作を行っている期間であることを特徴とする。
【００１３】
また、本発明にかかる撮像装置は、上記発明において、前記撮像素子の受光面を覆う幕を開閉することによって、露光および遮光を調整するシャッタと、前記シャッタを駆動するシャッタ駆動部と、前記遮光期間に前記シャッタ駆動部を駆動することにより、前記撮像素子の受光面を遮光状態に切り換える撮像制御部と、をさらに備えたことを特徴とする。
【００１４】
また、本発明にかかる検出方法は、所定の被写体から結像された光を受光して光電変換を行うことによって、電気信号を出力する複数の画素が２次元状に配列された撮像素子を備えた撮像装置が実行する検出方法であって、前記複数の画素からそれぞれ出力される前記電気信号の強度に基づいて、画素が異常であるか否かを判定する異常画素判定ステップと、前記撮像素子の受光面を遮光した遮光期間に、前記複数の画素からそれぞれ出力される前記電気信号に基づいて、前記画素毎の強度分布情報を、各撮像時に蓄積して記録する強度分布情報記録部の該強度分布情報を参照して、前記異常画素判定ステップによって異常と判定された回数が所定回数以上の画素を不定期に前記電気信号の強度が変化する点滅欠陥画素として検出する点滅画素検出ステップと、を含むことを特徴とする。
【００１５】
また、本発明にかかるプログラムは、所定の被写体から結像された光を受光して光電変換を行うことによって電気信号を出力する、複数の画素が２次元状に配列された撮像素子を備えた撮像装置に、実行させるプログラムであって、前記複数の画素からそれぞれ出力される前記電気信号の強度に基づいて、画素が異常であるか否かを判定する異常画素判定ステップと、前記撮像素子の受光面を遮光した遮光期間に、前記複数の画素からそれぞれ出力される前記電気信号に基づいて、前記画素毎の強度分布情報を、各撮像時に蓄積して記録する強度分布情報記録部の該強度分布情報を参照して、前記異常画素判定ステップによって異常と判定された回数が所定回数以上の画素を不定期に前記電気信号の強度が変化する点滅欠陥画素として検出する点滅画素検出ステップと、を実行させることを特徴とする。
【発明の効果】
【００１６】
本発明によれば、撮像素子内における点滅欠陥画素を確実に検出することができるという効果を奏する。
【図面の簡単な説明】
【００１７】
【図１】図１は、本発明の実施の形態１にかかる撮像装置のユーザに面する側の構成を示す斜視図である。
【図２】図２は、本発明の実施の形態１にかかる撮像装置の機能構成を示すブロック図である。
【図３】図３は、本発明の実施の形態１にかかる撮像装置が実行する処理の概要を示すフローチャートである。
【図４】図４は、図３の点滅欠陥画素検出処理の概要を示すフローチャートである。
【図５】図５は、本発明の実施の形態１にかかる撮像装置が備える撮像素子の撮像面の各画素を模式的に示す図である。
【図６】図６は、図５の画素の輝度分布情報を示す図である。
【図７】図７は、図５の点滅欠陥画素の輝度分布情報を示す図である。
【図８】図８は、本発明の実施の形態２にかかる撮像装置が実行する処理の概要を示すフローチャートである。
【図９】図９は、図８の点滅欠陥画素検出処理の概要を示すフローチャートである。
【図１０】図１０は、本発明の実施の形態２にかかる撮像装置の表示部が表示するライブビュー画像に対して点滅欠陥画素を検出する検出領域の設定を模式的に示す図である。
【図１１】図１１は、検出領域の画素を模式的に示す図である。
【発明を実施するための形態】
【００１８】
以下、図面を参照して、本発明を実施するための形態（以下、「実施の形態」という）について説明する。なお、以下に説明する実施の形態によって本発明が限定されるものではない。さらに、図面の記載において、同一の部分には同一の符号を付して説明する。
【００１９】
（実施の形態１）
図１は、本発明の実施の形態１にかかる撮像装置のユーザに面する側（背面側）の構成を示す斜視図である。図２は、本発明の実施の形態１にかかる撮像装置の機能構成を示すブロック図である。図１および図２に示す撮像装置１は、本体部２と、本体部２に着脱自在であり、所定の視野領域から光を受光するレンズ部３と、を備える。
【００２０】
本体部２は、シャッタ４と、シャッタ駆動部５と、撮像素子６と、撮像素子駆動部７と、信号処理部８と、Ａ／Ｄ変換部９と、画像処理部１０と、ＡＥ処理部１１と、ＡＦ処理部１２と、画像圧縮展開部１３と、輝度変換部１４と、異常画素判定部１５と、点滅画素検出部１６と、点滅画素登録部１７と、入力部１８と、表示部１９と、表示駆動部２０と、メモリＩ／Ｆ２１と、記録媒体２２と、ＳＤＲＡＭ（Synchronous  Dynamic  Random  Access  Memory）２３と、Ｆｌａｓｈメモリ２４と、本体通信部２５と、バス２６と、制御部２７と、を備える。
【００２１】
シャッタ４は、撮像素子６への光像を、露光状態または遮光状態に設定する。シャッタ４は、フォーカルプレーンシャッタ等、機械式のシャッタを用いて構成される。
【００２２】
シャッタ駆動部５は、制御部２７の制御のもと、シャッタ４を駆動する。シャッタ駆動部５は、ボイスコイルモータや、ステッピングモータ等を用いて構成される。
【００２３】
撮像素子６は、レンズ部３によって結像する光を受光して光電変換を行うことによって電気信号（画像信号）を出力する複数の画素が２次元状に配列されたＣＣＤまたはＣＭＯＳ等を用いて構成される。撮像素子６は、光量に応じた電荷を蓄積するフォトダイオードおよびフォトダイオードが蓄積した電荷を増幅する増幅器をそれぞれ有する複数の画素が２次元状に配列される。撮像素子６は、図示はしないが、各画素にあるフォトダイオードに対して、光電変換された電荷を蓄積するか否かを切り替え制御する、リセット回路と、蓄積された電荷を、増幅器に伝達させるか否かを制御する  読み出し選択回路による画素回路が接続されて、レンズ部３が集光した光を受光して光電変換を行うことによって画像データ（電気信号）を生成し、この画像データを信号処理部８へ出力する。
【００２４】
撮像素子駆動部７は、制御部２７の制御のもと、所定のタイミングで撮像素子６に対して、光電変換された電荷の蓄積開始および終了の制御と、この蓄積された電荷を増幅器に伝達させる制御を行う。そして、増幅器の出力から画像データ（アナログの電気信号）を信号処理部８に出力させる。この意味で、撮像素子駆動部７は、電子シャッタとして機能する。また、撮像素子駆動部７は、制御部２７の制御のもと、撮像素子６に対して、露光時間に対応する所定のフレームレート（たとえば３０ｆｐｓまたは６０ｆｐｓ）で画像データを出力させる。さらに、動画撮影時や、ライブビュー動作時では、撮像素子駆動部７は、制御部２７の制御のもと、撮像素子６の所定のライン、たとえば偶数ラインや奇数ラインを間引くことで、撮像素子６に高速フレームレート（たとえば１２０ｆｐｓ）で画像データを信号処理部８に連続出力させる。
【００２５】
信号処理部８は、制御部２７の制御のもと、撮像素子６から入力される画像データに対して、アナログ処理を施してＡ／Ｄ変換部９に出力する。具体的には、信号処理部８は、画像データに対して、ノイズ低減処理およびゲインアップ処理等を行う。
【００２６】
Ａ／Ｄ変換部９は、信号処理部８から入力されるアナログ信号の画像データに対してＡ／Ｄ変換を行うことによって、デジタルの画像データ（ＲＡＷデータ）に変換し、バス２６を介してＳＤＲＡＭ２３に出力する。
【００２７】
画像処理部１０は、バス２６を介してＳＤＲＡＭ２３から画像データをフレーム毎に取得し、取得した画像データ（ＲＡＷデータ）に対して、各種の画像処理を行って処理済みの画像データを生成する（現像処理）。この処理済みの画像データは、バス２６を介してＳＤＲＡＭ２３に出力される。具体的には、画像処理部１０は、画像データに対して、少なくとも、黒出力を補正する、オプティカルブラック（ＯＢ）減算処理、画像データの色味を調整するホワイトバランス（ＷＢ）調整処理、カラーマトリクス演算処理、ガンマ補正処理、色再現処理およびエッジ強調処理等を含む、撮影画像を生成する上で、基本の画像処理を行う。なお、画像処理部１０は、撮像素子６がベイヤー配列の場合には画像データの同時化処理を行う。また、画像処理部１０は、画素補正部１０１を有する。
【００２８】
画素補正部１０１は、後述するＦｌａｓｈメモリ２４の点滅画素情報記録部２４３が記録する、撮像素子６内における点滅欠陥画素の位置情報に基づいて、点滅欠陥画素の電気信号を、他の画素の電気信号を用いて補正する。たとえば、画素補正部１０１は、点滅欠陥画素の周辺または隣接する４つの画素の電気信号を用いて点滅欠陥画素の電気信号を補正する（補正方法の詳細な内容については、たとえば特開平６―３０３５３１号公報または特許第３８０５４２１号公報を参照）。
【００２９】
ＡＥ処理部１１は、バス２６を介してＳＤＲＡＭ２３に記録された画像データを取得し、取得した画像データに基づいて、静止画撮影または動画撮影を行う際の露出条件を設定する。具体的には、ＡＥ処理部１１は、画像データから輝度成分を抽出して、被写体輝度を算出し、算出した被写体輝度に基づいて、たとえば絞り値（Ｆ値）の設定値、シャッタスピード等を決定することで撮像装置１の自動露出を行う。
【００３０】
ＡＦ処理部１２は、バス２６を介してＳＤＲＡＭ２３に記録された画像データを取得し、取得した画像データに基づいて、撮像装置１の自動焦点の調整を行う。たとえば、ＡＦ処理部１２は、画像データから、輝度成分信号について、空間周波数での高周波成分の信号を取り出し、この高周波成分の信号に対してＡＦ（Auto  Focus）演算処理、（つまり画像のコントラスト度合いを数値化して検出する）を行うことによって、撮像装置１の合焦評価を決定して、撮像装置１の自動焦点の調整を行う。
【００３１】
画像圧縮展開部１３は、バス２６を介してＳＤＲＡＭ２３から画像データを取得し、取得した画像データに対して所定の形式に従って圧縮し、この圧縮した画像データをＳＤＲＡＭ２３に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１３は、バス２６およびメモリＩ／Ｆ２１を介して記録媒体２２に記録された画像データ（圧縮画像データ）を取得し、取得した画像データを展開（伸長）してＳＤＲＡＭ２３に出力する。
【００３２】
輝度変換部１４は、撮像素子６の画素毎にそれぞれ出力される電気信号の強度を輝度情報に変換する。具体的には、輝度変換部１４は、バス２６を介してＳＤＲＡＭ２３から撮像素子６が生成した１フレームの画像データを取得し、取得した画像データを構成する画素毎の電気信号を輝度情報に変換し、ＳＤＲＡＭ２３および異常画素判定部１５にそれぞれ出力する。
【００３３】
異常画素判定部１５は、撮像素子６の複数の画素からそれぞれ出力される電気信号の強度に基づいて、画素が異常であるか否かを判定する。具体的には、異常画素判定部１５は、撮像素子６の各画素から出力される電気信号の強度が画像の異常値を示す閾値以上か否かを判定する。具体的には、異常画素判定部１５は、輝度変換部１４から入力される画素毎の輝度情報が予め設定された画素の異常を示す閾値以上か否かを判定する。
【００３４】
点滅画素検出部１６は、ＳＤＲＡＭ２３が記録する撮像素子６の複数の画素からそれぞれ出力される電気信号の画素毎の強度分布情報を参照して、異常画素判定部１５によって異常と判定された回数が所定回数以上の画素を、不定期に電気信号の強度が変化する点滅欠陥画素として判定する。
【００３５】
点滅画素登録部１７は、点滅画素検出部１６が検出した撮像素子６内に対応する画素の位置情報（アドレス情報）をＦｌａｓｈメモリ２４に記録して登録する。
【００３６】
入力部１８は、撮像装置１の電源状態をオン状態またはオフ状態に切り換える電源スイッチ１８１と、静止画撮影の指示を与える静止画レリーズ信号の入力を受け付けるレリーズスイッチ１８２と、記録媒体２２が記録する画像データを削除する削除信号の入力を受け付ける削除スイッチ１８３と、撮像装置１の各種設定を切り換える操作スイッチ１８４と、撮像装置１の各種設定を表示部１９に表示させるメニュースイッチ１８５と、記録媒体２２に記録された画像データに対応する画像を表示部１９に表示させる再生スイッチ１８６と、動画撮影の指示を与える動画レリーズ信号の入力を受け付ける動画スイッチ１８７と、外部からの接触を検出し、この検出した位置に応じた位置信号の入力を受け付けるタッチパネル１８８と、を有する。
【００３７】
レリーズスイッチ１８２は、外部からの押圧により進退可能であり、半押しされた場合に撮影準備動作を指示するファーストレリーズ信号（以下、「１ｓｔレリーズ信号」という）の入力を受け付ける一方、全押しされた場合に静止画撮影を指示するセカンドレリーズ信号（以下、「２ｎｄレリーズ信号」という）の入力を受け付ける。操作スイッチ１８４は、メニュー画面等における選択設定を行う上下左右の各方向スイッチ１８４ａ〜１８４ｄと、メニュー画面等における各方向スイッチ１８４ａ〜１８４ｄによる操作を決定する決定スイッチ１８４ｅ（ＯＫスイッチ）とを有する（図１を参照）。なお、操作スイッチ１８４は、ダイヤルスイッチ等を用いて構成してもよい。
【００３８】
タッチパネル１８８は、表示部１９の表示領域に重畳して設けられ、外部からの物体のタッチを検出し、この検出したタッチ位置に応じた位置信号（座標位置を示す信号）を制御部２７に出力する。また、タッチパネル１８８は、ユーザが表示部１９で表示される情報、たとえばアイコン画像やサムネイル画像に基づいてタッチした位置（座標位置）を検出し、この検出したタッチ位置に応じて撮像装置１が行う動作を指示する指示信号や画像を選択する選択信号の入力を受け付けてもよい。一般に、タッチパネル１８８としては、抵抗膜方式、静電容量方式および光学方式等がある。本実施の形態では、いずれの方式のタッチパネルであっても適用可能である。
【００３９】
表示部１９は、液晶または有機ＥＬ（Electro  Luminescence）等からなる表示パネルを用いて構成され、撮像素子６が生成した画像データに対応するライブビュー画像および／または記録媒体２２が記録する画像データに対応する撮影画像を表示する。
【００４０】
表示駆動部２０は、バス２６を介してＳＤＲＡＭ２３に記録された画像データまたは記録媒体２２に記録された画像データを取得し、取得した画像データに対応する撮影画像を表示部１９に表示させる。ここで、画像の表示には、撮影直後の画像データを所定時間（たとえば３秒間）だけ表示するレックビュー表示、記録媒体２２に記録された画像データを再生する再生表示、および撮像素子６が連続的に生成する画像データに対応するライブビュー画像を時系列に沿って順次表示するライブビュー表示等が含まれる。また、表示部１９は、撮像装置１の操作情報および撮影に関する撮影条件を設定するメニュー画面を表示する。
【００４１】
記録媒体２２は、撮像装置１の外部から装着されるメモリカード等を用いて構成される。記録媒体２２は、メモリＩ／Ｆ２１を介して撮像装置１に着脱自在に装着される。記録媒体２２は、画像処理部１０や画像圧縮展開部１３が処理を施した画像データを記録する、または記録媒体２２に記録された画像データを出力する。また、記録媒体２２は、制御部２７の制御のもと、メモリＩ／Ｆ２１およびバス２６を介して撮像プログラムおよび各種情報それぞれをＦｌａｓｈメモリ２４に出力してもよい。
【００４２】
ＳＤＲＡＭ２３は、バス２６を介してＡ／Ｄ変換部９から入力される画像データ（ＲＡＷデータ）、画像処理部１０から入力される画像データおよび撮像装置１の処理中の情報を一時的に記録する。たとえば、ＳＤＲＡＭ２３は、信号処理部８、Ａ／Ｄ変換部９およびバス２６を介して撮像素子６が１フレーム毎に順次出力する画像データを一時的に記録する。ＳＤＲＡＭ２３は、揮発メモリを用いて構成される。また、ＳＤＲＡＭ２３は、画像データを記録する画像データ記録部２３１と、撮像素子６を遮光した遮光時に撮像素子６の複数の画素からそれぞれ出力される電気信号の画素毎（位置情報毎）の強度分布情報を撮像装置１の撮像毎に蓄積して記録する強度分布情報記録部２３２と、を有する。また、強度分布情報記録部２３２は、電気信号の強度を輝度変換部１４が変換した輝度情報として記録する。
【００４３】
Ｆｌａｓｈメモリ２４は、プログラム記録部２４１と、欠陥画素情報記録部２４２と、点滅画素情報記録部２４３と、を有する。プログラム記録部２４１は、撮像装置１を動作させるための各種プログラム、本実施の形態１にかかるプログラムおよびプログラムの実行中に使用される各種データおよび画像処理部１０による画像処理の動作に必要な各画像処理のパラメータ等を記録する。欠陥画素情報記録部２４２は、撮像素子６内における欠陥画素の位置情報を記録する。点滅画素情報記録部２４３は、撮像素子６内における点滅欠陥画素の位置情報を記録する。
【００４４】
本体通信部２５は、本体部２に装着されるレンズ部３に制御信号などの通信を行うための通信インターフェースである。
【００４５】
バス２６は、撮像装置１の各構成部位を接続する伝送路等を用いて構成される。そして、バス２６は、撮像装置１の内部で発生した各種データを撮像装置１の各構成部位に転送するための主要な通信経路である。
【００４６】
制御部２７は、ＣＰＵ（Central  Processing  Unit）等を用いて構成され、バス２６を介して入力部１８からの指示信号またはレリーズ信号に応じて撮像装置１を構成する各部に対応する指示やデータの転送等を行って撮像装置１の動作を統括的に制御する。
【００４７】
ここで、制御部２７の詳細な構成について説明する。制御部２７は、撮像制御部２７１と、表示制御部２７２と、を有する。
【００４８】
撮像制御部２７１は、レリーズスイッチ１８２から２ｎｄレリーズ信号が入力された場合、撮像装置１における撮影動作を開始する制御を行う。ここで、撮像装置１における撮影動作とは、シャッタ駆動部５および撮像素子駆動部７の駆動によって撮像素子６が出力した画像データに対し、信号処理部８、Ａ／Ｄ変換部９および画像処理部１０が所定の処理を施す動作をいう。このように処理が施された画像データは、制御部２７の制御のもと、画像圧縮展開部１３で圧縮され、バス２６およびメモリＩ／Ｆ２１を介して記録媒体２２に記録される。
【００４９】
表示制御部２７２は、表示部１９の表示態様を制御する。具体的には、表示制御部２７２は、表示駆動部２０を駆動し、画像処理部１０が画像処理を施した画像データに対応するライブビュー画像を表示部１９に表示させる。
【００５０】
以上の構成を有する本体部２に対して、音声入出力機能、フラッシュ機能および電子ビューファインダ（ＥＶＦ）等を具備させてもよい。
【００５１】
レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００５２】
光学系３１は、一または複数のレンズを用いて構成され、所定の視野領域から光を集光する。光学系３１は、画角を変化させる光学ズーム機能および焦点を変化させるフォーカス機能を有する。レンズ駆動部３２は、ＤＣモータまたはステッピングモータ等を用いて構成され、光学系３１のレンズを光軸Ｏ上で移動させることにより、光学系３１のピント位置や画角等の変更を行う。
【００５３】
絞り３３は、光学系３１が集光した光の入射量を制限することにより露出の調整を行う。絞り駆動部３４は、ステッピングモータ等を用いて構成され、絞り３３を駆動する。
【００５４】
レンズ操作部３５は、図１に示すように、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００５５】
レンズＦｌａｓｈメモリ３６は、光学系３１の位置および動きそれぞれを決定するための制御用プログラム、光学系３１のレンズ特性および各種パラメータを含むレンズ情報を記録する。
【００５６】
レンズ通信部３７は、レンズ部３が本体部２に装着されたときに、本体部２の本体通信部２５と通信を行うための通信インターフェースである。
【００５７】
レンズ制御部３８は、ＣＰＵ等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００５８】
以上のように構成された撮像装置１が実行する処理について説明する。図３は、撮像装置１が実行する処理の概要を示すフローチャートである。
【００５９】
図３に示すように、電源スイッチ１８１が操作され、撮像装置１の電源がオンされた場合（ステップＳ１０１：Ｙｅｓ）において、撮像装置１に撮影モードが設定されているとき（ステップＳ１０２：Ｙｅｓ）、撮像装置１は、撮像素子６内の点滅欠陥画素を検出する点滅画素検出処理を実行する（ステップＳ１０３）。なお、撮像装置１は、撮像装置１の撮影動作での各種初期動作を行っている期間に点滅画素検出処理を実行する。
【００６０】
図４は、ステップＳ１０３の点滅画素検出処理の概要を示すフローチャートである。図４に示すように、撮像制御部２７１は、シャッタ駆動部５を駆動してシャッタ４を閉めて撮像素子６の受光面を遮光状態に設定し、撮像素子６に暗時の画像データを生成させ、信号処理部８およびＡ／Ｄ変換部９およびバス２６を介してＳＤＲＡＭ２３の画像データ記録部２３１へ出力させる（ステップＳ２０１）。
【００６１】
続いて、輝度変換部１４は、バス２６を介してＳＤＲＡＭ２３の画像データ記録部２３１か遮光時における画像データ（ＲＡＷデータ）を取得し、取得した画像データに対応する画像の各画素の電気信号（暗時電流時のレベル）の強度を輝度情報に変換する（ステップＳ２０２）。
【００６２】
その後、輝度変換部１４は、バス２６を介して画素毎の輝度情報を強度分布情報記録部２３２に出力して撮像素子６の画素毎の輝度分布情報（ヒストグラム情報）を更新する（ステップＳ２０３）。なお、本実施の形態１では、輝度分布情報が強度分布情報として機能する。
【００６３】
続いて、異常画素判定部１５は、輝度変換部１４が変換した各画素の輝度情報が画素の異常値を示す閾値以上か否かを判定する（ステップＳ２０４）。
【００６４】
図５は、撮像素子６の撮像面の各画素を模式的に示す図である。図６は、図５の画素Ｐ１の輝度分布情報を示す図である。図７は、図５の点滅欠陥画素Ｐ２の輝度分布情報を示す図である。図５において、点滅欠陥画素Ｐ２をハッチングで表現し、正常な画素Ｐ１を含むその他の画素を白抜きで表現する。また、図６および図７において、横軸が輝度の強度Ｉ（レベル）を示し、縦軸が強度分布情報記録部２３２に記録された出現回数を示す。
【００６５】
図５および図６に示すように、正常な画素Ｐ１の輝度は、閾値Ｌ1未満であるうえ、輝度分布がほぼ均一になる。これに対して、図７に示すように、点滅欠陥画素Ｐ２の輝度は、閾値Ｌ1以上になるうえ、輝度分布が不均一になる。このため、異常画素判定部１５は、輝度変換部１４が変換した画素毎に輝度情報が閾値Ｌ1以上か否かを判定し、閾値Ｌ1以上の画素を点滅欠陥画素の候補として判定する。ここで、閾値Ｌ1は、たとえば１２ｂｉｔ換算で２０００ＬＳＢとする。
【００６６】
ステップＳ２０４の後、異常画素判定部１５によって閾値Ｌ1以上の画素があると判定された場合（ステップＳ２０５：Ｙｅｓ）、点滅画素検出部１６は、強度分布情報記録部２３２が記録する各画素の輝度分布情報に基づいて、異常画素判定部１５によって閾値Ｌ1以上と判定された画素の出現回数が、所定回数以上か否かを判定する（ステップＳ２０６）。具体的には、図７に示すように、点滅画素検出部１６は、強度分布情報記録部２３２が記録する各画素の輝度分布情報に基づいて、異常画素判定部１５によって判定された閾値Ｌ1以上の画素の出現回数が所定回数Ｌ2以上か否かを判定し、所定回数Ｌ2以上の画素を点滅欠陥画素として検出する。ここで、所定回数は、強度分布情報記録部２３２が記録する輝度分布情報の更新回数における１０％である。すなわち、輝度分布情報の更新回数が１０回の場合、１回である。点滅画素検出部１６が異常画素判定部１５によって閾値Ｌ1以上と判定された画素の出現回数が所定回数以上であると判定した場合（ステップＳ２０６：Ｙｅｓ）、撮像装置１は、ステップＳ２０７へ移行する。これに対して、点滅画素検出部１６が異常画素判定部１５によって判定された画素の出現回数が所定回数以上でないと判定した場合（ステップＳ２０６：Ｎｏ）、撮像装置１は、図３のメインルーチンへ戻る。
【００６７】
ステップＳ２０７において、点滅画素登録部１７は、点滅画素検出部１６が検出した撮像素子６内おける点滅欠陥画素の位置情報（画素アドレス）を点滅画素情報記録部２４３に記録する。ステップＳ２０７の後、撮像装置１は、図３のメインルーチンへ戻る。
【００６８】
ステップＳ２０４の後、異常画素判定部１５によって閾値Ｌ1以上の画素がない場合（ステップＳ２０５：Ｎｏ）、撮像装置は、図３のメインルーチンへ戻る。
【００６９】
図３に戻り、ステップＳ１０４以降の説明を続ける。ステップＳ１０４において、表示制御部２７２は、撮像素子６が生成した画像データに対応するライブビュー画像を表示部１９に表示させる。
【００７０】
続いて、レリーズスイッチ１８２からレリーズ信号が入力された場合（ステップＳ１０５：Ｙｅｓ）、撮像制御部２７１は、撮像装置１に静止画撮影を実行させる（ステップＳ１０６）。この際、画素補正部１０１は、欠陥画素情報記録部２４２が記録する撮像素子６内における欠陥画素の位置情報および点滅画素情報記録部２４３が記録する撮像素子６内における点滅欠陥画素の位置情報を参照して、欠陥画素および点滅欠陥画素の画像信号を周辺の画素の画像信号または隣接する画素の画像信号を用いて補間または補正する。
【００７１】
その後、表示制御部２７２は、画像処理部１０が画像処理を静止画撮影時に生成された画像データ（ＲＡＷデータ）に施した静止画像を表示部１９に所定時間、たとえば３秒間だけレックビュー表示させる（ステップＳ１０７）。
【００７２】
続いて、撮像装置１は、ステップＳ１０３で上述した点滅画素検出処理を実行する（ステップＳ１０８）。
【００７３】
その後、電源スイッチ１８１が操作され、撮像装置１の電源がオフになった場合（ステップＳ１０９：Ｙｅｓ）、撮像装置１は、各種の動作状態を初期値に戻す終了動作を行っている期間に、ステップＳ１０３で上述した点滅画素検出処理を実行し（ステップＳ１１０）、撮像装置１は、本処理を終了する。
【００７４】
ステップＳ１０９において、撮像装置１の電源がオフになっていない場合（ステップＳ１０９：Ｎｏ）、撮像装置１は、ステップＳ１０２へ戻る。
【００７５】
ステップＳ１０５において、レリーズスイッチ１８２からレリーズ信号が入力されていない場合（ステップＳ１０５：Ｎｏ）、撮像装置１は、ステップＳ１１１へ移行する。
【００７６】
続いて、メニュースイッチ１８５から撮像装置１のメニュー画面の表示を指示する指示信号が入力された場合（ステップＳ１１１：Ｙｅｓ）、表示制御部２７２は、撮像装置１のメニュー画像を表示部１９に表示させる（ステップＳ１１２）。
【００７７】
その後、撮像装置１は、ステップＳ１０３で上述した点滅画素検出処理を実行する（ステップＳ１１３）。この場合、撮像装置１は、表示部１９がメニュー画面を表示し続ける期間またはユーザによる撮像装置１のパラメータの設定期間において、点滅画素検出処理を複数回行ってもよい。また、撮像装置１は、表示部１９によるメニュー画面の表示と点滅画素検出処理を並列で実行してもよい。ステップＳ１１３の後、撮像装置１は、ステップＳ１０９へ移行する。
【００７８】
ステップＳ１１１において、メニュースイッチ１８５から撮像装置１のメニュー画面の表示を指示する指示信号が入力されていない場合（ステップＳ１１１：Ｎｏ）、撮像装置１は、ステップＳ１０９へ移行する。
【００７９】
ステップＳ１０１において、電源スイッチ１８１が操作されず、撮像装置１の電源がオンになっていない場合（ステップＳ１０１：Ｎｏ）、撮像装置１は、電源がオンになるまで待機する。
【００８０】
ステップＳ１０２において、撮像装置１に撮影モードが設定されていない場合（ステップＳ１０２：Ｎｏ）において、撮像装置１に再生モードが設定されたとき（ステップＳ１１４：Ｙｅｓ）、表示制御部２７２は、記録媒体２２に記録された画像データに対応する再生画像を表示部１９に表示させる再生表示処理を実行する（ステップＳ１１５）。ステップＳ１１５の後、撮像装置１は、ステップＳ１０９へ移行する。
【００８１】
ステップＳ１０２において、撮像装置１に撮影モードが設定されていない場合（ステップＳ１０２：Ｎｏ）において、撮像装置１に再生モードが設定されていないとき（ステップＳ１１４：Ｎｏ）、撮像装置１は、ステップＳ１０９へ移行する。
【００８２】
以上説明した本発明の実施の形態１によれば、点滅画素検出部１６が強度分布情報記録部２３２によって記録された各画素の電気信号の強度とこの強度の出現回数を参照して、異常画素判定部１５によって電気信号の強度が閾値Ｌ1以上と判定された回数が所定回数Ｌ2以上の画素を、点滅画素として判定するので、撮像素子６内における点滅欠陥画素を確実に検出することができる。
【００８３】
また、本発明の実施の形態１によれば、点滅欠陥画素が発生する周期が不定期であっても、確実に検出することができる。
【００８４】
また、本発明の実施の形態１によれば、通常あるＦＰＮ（固定パターンノイズ）の補正処理と合わせて点滅欠陥画素と、定常欠陥画素とを同時に補正するので、短時間で補正処理を行うことができるので、たとえば連続撮影（連写）を容易に行うことができる。
【００８５】
また、本発明の実施の形態１によれば、点滅欠陥画素を確実に検出することができるので、正常な画素の過補正が防止することができる。さらに、一般に公知であるランダムノイズを補正する、発生確率に基づくノイズ推定方式による正常な画素の誤補正を防止することができ、適正な補正処理を行うことができる。
【００８６】
また、本発明の実施の形態１によれば、撮像装置１の電源スイッチ１８１が操作され、撮像装置１の電源がオン状態になった起動時または撮像装置１の電源がオフ状態になった終了時（停止時）に、撮像制御部２７１がシャッタ駆動部５および撮像素子駆動部７を駆動することによって、撮像素子６に暗時の画像データを生成させる。これにより、通常の撮像動作に影響が期間に点滅欠陥画素を検出するので、被写体のシャッタチャンスを逃すことを防止することができる。
【００８７】
また、本発明の実施の形態１によれば、表示部１９がメニュー画面を表示している際に、撮像制御部２７１がシャッタ駆動部５および撮像素子駆動部７を駆動することによって、撮像素子６に暗時の画像データを生成させる。これにより、通常の撮像動作に影響がない期間に点滅欠陥画素を検出することができる。
【００８８】
また、本発明の実施の形態１によれば、撮像装置１が静止画撮影を行った直後に、表示部１９が撮像した静止画画像を所定時間だけ表示する際に、撮像制御部２７１がシャッタ駆動部５および撮像素子駆動部７を駆動することによって、撮像素子６に暗時の画像データを生成させる。これにより、通常の撮像動作に影響がない期間に点滅欠陥画素を検出することができる。
【００８９】
（実施の形態２）
つぎに、本発明の実施の形態２について説明する。本実施の形態２にかかる撮像装置は、上述した実施の形態１と同一の構成を有し、実行する処理が異なる。このため、以下においては、本実施の形態２にかかる撮像装置が実行する処理について説明する。なお、上述した実施の形態１にかかる撮像装置１と同一の構成には同一の符号を付して説明を省略する。
【００９０】
図８は、本実施の形態２にかかる撮像装置１が実行する処理の概要を示すフローチャートである。ステップＳ３０１〜ステップＳ３０２は、図３のステップＳ１０１〜ステップＳ１０２の内容にそれぞれ対応する。
【００９１】
続いて、撮像装置１は、撮像素子６内の点滅欠陥画素を検出する点滅画素検出処理を実行する（ステップＳ３０３）。
【００９２】
図９は、ステップＳ３０３の点滅画素検出処理の概要を示すフローチャートである。図９に示すように、撮像制御部２７１は、シャッタ駆動部５を駆動してシャッタ４を閉めて撮像素子６を遮光状態に設定し、撮像素子６に暗時（遮光状態）の画像データを生成させ、信号処理部８およびＡ／Ｄ変換部９およびバス２６を介してＳＤＲＡＭ２３の画像データ記録部２３１へ出力させる（ステップＳ４０１）。
【００９３】
続いて、制御部２７は、撮像素子６内において点滅欠陥画素を検出する検出領域が指定されているか否かを判断する（ステップＳ４０２）。具体的には、図１０に示すように、制御部２７は、表示部１９が表示するライブビュー画像Ｗ１に対し（図１０（ａ））、タッチパネル１８８を介してユーザが所望の領域、たとえば点滅欠陥画素Ｐ２が生じている領域に対してタッチすることによって（図１０（ｂ））、撮像素子６内において点滅欠陥画素を検出する検出領域Ｒ１が指定されているか否かを判断する。制御部２７が撮像素子６内において点滅欠陥画素を検出する検出領域が指定されていると判断した場合（ステップＳ４０２：Ｙｅｓ）、撮像装置１は、後述するステップＳ４０３へ移行する。これに対して、制御部２７が撮像素子６内において点滅欠陥画素を検出する検出領域が指定されていないと判断した場合（ステップＳ４０２：Ｎｏ）、撮像装置１は、後述するステップＳ４０９へ移行する。
【００９４】
ステップＳ４０３において、輝度変換部１４は、バス２６を介してＳＤＲＡＭ２３の画像データ記録部２３１か遮光時における画像データ（ＲＡＷデータ）を取得し、取得した画像データに対応する画像の各画素の電気信号の強度を輝度情報に変換する。
【００９５】
その後、輝度変換部１４は、バス２６を介して画素毎の輝度情報を強度分布情報記録部２３２に出力して画素毎に輝度分布情報を更新する（ステップＳ４０４）。
【００９６】
続いて、異常画素判定部１５は、輝度変換部１４が検出した各画素の輝度情報に基づいて、タッチパネル１８８によって指定された撮像素子６の検出領域Ｒ１内の画素毎に輝度情報が閾値Ｌ1以上か否かを判定する（ステップＳ４０５）。具体的には、図１１に示すように、異常画素判定部１５は、タッチパネル１８８によって指定された撮像素子６の検出領域Ｒ１内の画素毎に輝度情報が閾値Ｌ1以上か否かを判定する。
【００９７】
異常画素判定部１５によって検出領域Ｒ１内で閾値Ｌ1以上の画素があると判定された場合（ステップＳ４０６：Ｙｅｓ）、点滅画素検出部１６は、強度分布情報記録部２３２が記録する各画素の輝度分布情報に基づいて、撮像素子６の検出領域Ｒ１内において異常画素判定部１５によって閾値Ｌ1以上と判定された画素の出現回数が所定回数以上であるか否かを判定する（ステップＳ４０７）。具体的には、点滅画素検出部１６は、強度分布情報記録部２３２が記録する各画素の輝度分布情報に基づいて、異常画素判定部１５によって判定された閾値Ｌ1以上の画素の出現回数が所定回数Ｌ2以上か否かを判定し、所定回数Ｌ2以上の画素を点滅欠陥画素として検出する。点滅画素検出部１６が異常画素判定部１５によって判定された画素の回数が所定回数以上と判定した場合（ステップＳ４０７：Ｙｅｓ）、撮像装置１は、ステップＳ４０８へ移行する。これに対して、点滅画素検出部１６が異常画素判定部１５によって判定された画素の回数が所定回数以上でないと判定した場合（ステップＳ４０７：Ｎｏ）、撮像装置１は、図８のメインルーチンへ戻る。
【００９８】
ステップＳ４０８において、点滅画素登録部１７は、点滅画素検出部１６が検出した撮像素子６内おける画素の位置情報（画素アドレス）を点滅画素情報記録部２４３に記録する。ステップＳ４０８の後、撮像装置１は、図８のメインルーチンへ戻る。
【００９９】
ステップＳ４０９〜ステップＳ４１４は、図４のステップＳ２０２〜ステップＳ２０７の内容にそれぞれ対応する。ステップＳ４１４の後、撮像装置１は、図８のメインルーチンへ戻る。
【０１００】
図８に戻り、ステップＳ３０４以降の説明を続ける。ステップＳ３０４は、図３のステップＳ１０４の内容に対応する。
【０１０１】
続いて、表示部１９が表示するライブビュー画像Ｗ１に対し、タッチパネル１８８を介してユーザが所望の領域、たとえば点滅欠陥画素Ｐ２が生じている領域に対してタッチされた場合（ステップＳ３０５：Ｙｅｓ）、撮像装置１は、上述した点滅画素検出処理を実行する（ステップＳ３０６）。ステップＳ３０６の後、撮像装置１は、ステップＳ３０７へ移行する。これに対して、表示部１９が表示するライブビュー画像Ｗ１に対し、タッチパネル１８８を介してユーザが所望の領域、たとえば点滅欠陥画素Ｐ２が生じている領域に対してタッチされていない場合（ステップＳ３０５：Ｎｏ）、撮像装置１は、ステップＳ３０７へ移行する。
【０１０２】
ステップＳ３０７〜ステップＳ３１６は、図３のステップＳ１０５〜ステップＳ１１４の内容にそれぞれ対応する。なお、ステップＳ３１０、ステップＳ３１２およびステップＳ３１５は、上述した図９の点滅画素検出処理を実行する。
【０１０３】
ステップＳ３１７において、表示制御部２７２は、記録媒体２２が記録する画像データに対応する再生画像を表示部１９に表示させる。
【０１０４】
続いて、表示部１９が表示する再生画像に対し、タッチされた場合（ステップＳ３１８：Ｙｅｓ）、制御部２７は、タッチパネル１８８から入力される位置信号に基づいて、タッチ位置を含む領域をＳＤＲＡＭ２３に記録する（ステップＳ３１９）。ステップＳ３１９の後、撮像装置１は、ステップＳ３２０へ移行する。これに対して、表示部１９が表示する再生画像に対し、タッチされていない場合（ステップＳ３１８：Ｎｏ）、撮像装置１は、ステップＳ３２０へ移行する。
【０１０５】
続いて、メニュースイッチ１８５から画像の切り換えを指示する指示信号が入力された場合（ステップＳ３２０：Ｙｅｓ）、表示制御部２７２は、再生画像を切り換えて表示部１９に表示させる（ステップＳ３２１）。ステップＳ３２１の後、撮像装置１は、ステップＳ３１８へ戻る。これに対して、メニュースイッチ１８５から画像の切り換えを指示する指示信号が入力されていない場合（ステップＳ３２０：Ｎｏ）、撮像装置１は、ステップＳ３１１へ移行する。
【０１０６】
以上説明した本発明の実施の形態２によれば、上述した実施の形態１と同様の効果を有するので、撮像素子６内における点滅欠陥画素を確実に検出することができる。
【０１０７】
また、本発明の実施の形態２によれば、ユーザがタッチパネル１８８を介してライブビュー画像内をタッチすることにより点滅欠陥画素を検出する検出領域を設定し、このタッチ位置を含む領域に対して点滅画素検出部１６が点滅欠陥画素を判定するので、撮像装置１の計算による負荷を低減することができるとともに、ＳＤＲＡＭ２３の容量の増加を防止することができる。
【０１０８】
また、本発明の実施の形態２によれば、表示部１９が表示するライブビュー画像に生じた点滅欠陥画素による点を含む領域を直感的な操作によって指定することができる。
【０１０９】
（その他の実施の形態）
また、本発明にかかる撮像装置は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。
【０１１０】
また、本発明においては、本体部とレンズ部とが一体的に形成されていてもよい。
【０１１１】
また、本発明において、上述した実施形態の撮像装置は、民生用のデジタルカメラを一例として説明したが、これに限らず、撮像素子を用いた観察装置として、例えば、デジタル顕微鏡装置、ビデオスコープや内視鏡スコープ等の内視鏡装置または内視鏡システム、あるいは、監視カメラ等のリモートセンシング用のカメラ等の撮像装置に適用することができる。
【０１１２】
また、本発明にかかる撮像装置に実行させるプログラムは、インストール可能な形式又は実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１１３】
また、本発明にかかる撮像装置に実行させるプログラムは、ネットワーク経由でダウンロードしてＦｌａｓｈメモリや記録媒体等に記録させてもよい。さらに、本発明にかかる撮像装置に実行させるプログラムをインターネット等のネットワーク経由で提供または配布するように構成してもよい。
【０１１４】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１１５】
このように、本発明は、ここでは記載していない様々な実施の形態を含みうるものであり、特許請求の範囲によって特定される技術的思想の範囲内で種々の設計変更等を行うことが可能である。
【符号の説明】
【０１１６】
１  撮像装置
２  本体部
３  レンズ部
４  シャッタ
５  シャッタ駆動部
６  撮像素子
７  撮像素子駆動部
８  信号処理部
９  Ａ／Ｄ変換部
１０  画像処理部
１１  ＡＥ処理部
１２  ＡＦ処理部
１３  画像圧縮展開部
１４  輝度変換部
１５  異常画素判定部
１６  点滅画素検出部
１７  点滅画素登録部
１８  入力部
１９  表示部
２０  表示駆動部
２１  メモリＩ／Ｆ
２２  記録媒体
２３  ＳＤＲＡＭ
２４  Ｆｌａｓｈメモリ
２５  本体通信部
２６  バス
２７  制御部
３１  光学系
３２  レンズ駆動部
３３  絞り
３４  絞り駆動部
３５  レンズ操作部
３６  レンズＦｌａｓｈメモリ
３７  レンズ通信部
３８  レンズ制御部
１０１  画素補正部
１８１  電源スイッチ
１８２  レリーズスイッチ
１８３  削除スイッチ
１８４  操作スイッチ
１８５  メニュースイッチ
１８６  再生スイッチ
１８７  動画スイッチ
１８８  タッチパネル
２３１  画像データ記録部
２３２  強度分布情報記録部
２４１  プログラム記録部
２４２  欠陥画素情報記録部
２４３  点滅画素情報記録部
【図１】
2014216775.tif 000003
【図２】
2014216775.tif 000004
【図３】
2014216775.tif 000005
【図４】
2014216775.tif 000006
【図５】
2014216775.tif 000007
【図６】
2014216775.tif 000008
【図７】
2014216775.tif 000009
【図８】
2014216775.tif 000010
【図９】
2014216775.tif 000011
【図１０】
2014216775.tif 000012
【図１１】
2014216775.tif 000013